(57)【要約】【課題】  特別な部材を設けることがなく、構造が簡単で、給湯時にケトル本体を傾けても蓋が落下しないケトルを提供する。【解決手段】  ケトル本体１０と、蓋体３０とを備えたケトルであって、蓋体３０はつまみ３１と蓋外周部３２とを備え、つまみ３１の上面と蓋外周部３２の上面がケトル本体１０の上面と略面一又はケトル本体内側に位置するように形成する。【選択図】    図２
0003116343.tif 000002
【実用新案登録請求の範囲】
【請求項１】
ケトル本体と、該ケトル本体の上面中央に設けられた開口部と、該開口部を閉塞する着脱自在な蓋体と、前記ケトル本体の上部前側に設けられた給湯口と、前記ケトル本体に設けられた把手と、を備えたケトルであって、
前記蓋体は、つまみ央部と、該つまみ央部を残して陥没させたつまみ凹部と、該つまみ凹部の外周に形成された蓋外周部と、を備え、
前記つまみ央部の上面及び前記蓋外周部の上面は、前記ケトル本体の上面全体と略面一又はケトル本体内側に位置するように形成されており、
前記給湯口の上端部は、前記ケトル本体の上面と同じ位置から下方位置にあることを特徴とするケトル。
【請求項２】
前記把手は、前記ケトル本体に接合する支持部と、該支持部から前記開口部の上方向側へ延びる把持部とからなり、前記支持部は、該支持部の取付け軸を中心として前記支持部とケトル本体とが摺接しながら回動可能に軸支されていることを特徴とする請求項１記載のケトル。
【請求項３】
前記把手は、前記ケトル本体の側面に形成されていることを特徴とする請求項１記載のケトル。
【考案の詳細な説明】
【技術分野】
【０００１】
本考案は湯を沸かすためのケトルに係り、特に給湯の時にケトルの蓋が落下するのを防止したケトルに関する。なお、本明細書において「湯」とは、「水」「茶」「ミルク」「コーヒー」等の液体を加熱したものをいう。
【背景技術】
【０００２】
一般に、ケトルはケトル本体と蓋体から構成され、ケトル本体の上面中央に給水するための円形の開口部を有し、蓋体は開口部に着脱自在に配設されている。ケトル本体には、お湯を注ぐための給湯口が上部前側に設けられ、開口部の上方向側に延びる把手がケトル本体に取付けられている。蓋体には、ケトル本体から蓋をしたり外したりする際に蓋を持つためのつまみが設けられている。
【０００３】
この種のケトルで給湯する場合、ケトル本体の傾きが大きくなると蓋体がケトル本体から離脱しやすく、これを防止するため、蓋体が離脱しないように把手を持つ手と反対の手で蓋体を押える必要があった。
【０００４】
そこで従来、蓋体の環状側壁に係止部材を取り付け、この係止部材をケトル本体開口部の内側に圧接させて蓋体の落下を防止するものが提案されている（例えば、特許文献１参照）。或いは、把手に蓋体の蓋押え部材を取り付け、蓋体の上面を押えて落下を防止するものが提案されている（例えば、特許文献２参照）。
【特許文献１】特開平１０−３２８０２９号公報（明細書及び図面）
【特許文献２】特開平５−４２０４３号公報（明細書及び図面）
【考案の開示】
【考案が解決しようとする課題】
【０００５】
しかしながら、上記従来技術で提案された各ケトルでは、蓋体の環状側壁や把手に落下防止のための部材を取り付ける必要があり、蓋体や把手の構造が複雑になるという不都合があった。また、蓋体の環状側壁に係止部材を設けたケトルでは、蓋体の着脱時に係止部材の係止力より強い力を加えて蓋体を着脱しなくてはならず、着脱しにくいという不都合があった。また、把手に蓋押え部材を取り付けたケトルにおいては、該蓋押え部材が露出されており、外観の高級感を損なうという不都合があった。
【０００６】
また、蓋を閉じた状態では蓋体がケトル本体の開口部に載置されるため、ケトルの上面は盛り上がり、さらに蓋体のつまみは蓋体から上方へ突出して取付けられているため、ケトルの上面は突起した形状となり、ケトルの上に他の容器を重ねることができず、収納しにくいという不都合があった。
【０００７】
本考案の目的は、特別な部材を設けることがなく、構造が簡単で製造が容易であり、給湯時にケトル本体を傾けても蓋が落下しないようなケトルを提供することにある。また、本考案の他の目的は、デザイン性に優れたケトルを提供することにある。
【０００８】
さらに、本考案の他の目的は、収納性に優れたケトルを提供することにある。
【課題を解決するための手段】
【０００９】
上記課題は、請求項１に係る本考案のケトルによれば、ケトル本体と、このケトル本体の上面中央に設けられた開口部と、この開口部を閉塞する着脱自在な蓋体と、ケトル本体の上部前側に設けられた給湯口と、ケトル本体に設けられた把手と、を備えたケトルであって、蓋体は、つまみ央部と、このつまみ央部を残して陥没させたつまみ凹部と、このつまみ凹部の外周に形成された蓋外周部と、を備え、つまみ央部の上面及び蓋外周部の上面は、ケトル本体の上面全体と略面一又はケトル本体内側に位置するように形成されており、給湯口の上端部は、ケトル本体の上面と同じ位置から下方位置にあること、により解決される。
【００１０】
上記構成によれば、本考案のケトルは、つまみの上面及び蓋外周部の上面がケトル本体の上面と略面一となり、蓋体がケトル本体内側に収容されているので、給湯時にケトル本体を略９０°まで傾けても、ケトル本体の内側に蓋体の重力が働き、蓋体がケトル本体から離脱して落下するのを防止できる。
【００１１】
また、本考案のケトルは、つまみを含めた蓋体全体がケトル本体内側に収容され、蓋体上面がケトル本体上面と略面一となる。
【００１２】
また、請求項２のように、把手は、ケトル本体に接合する支持部と、この支持部から開口部の上方向側へ延びる把持部とからなり、上記支持部は、この支持部の取付け軸を中心として支持部とケトル本体とが摺接しながら回動可能に軸支されるように構成すると好適である。
【００１３】
上記構成によれば、本考案のケトルは、把手を支持部の取付け軸を中心として左右へ９０°回動して横倒すると、ケトル全体の上面が略平面となる。
【００１４】
さらに、請求項３のように、把手は、ケトル本体の側面に形成されるように構成すると好適である。
【００１５】
上記構成によれば、本考案のケトルは、把手がケトル本体の上面との水平面から下方向側に形成されるため、ケトル全体の上面が略平面となる。
【考案の効果】
【００１６】
本考案のケトルによれば、つまみの上面及び蓋外周部の上面がケトル本体の上面と略面一となり、蓋体が前記ケトル本体内側に収容されているので、給湯時にケトル本体を略９０°まで傾けても、ケトル本体の内側に蓋体の重力が働き、蓋体がケトル本体から離脱して落下するのを防止できるため、把手を持つ手と反対の手で蓋体を押えずに給湯操作をすることが可能となる。
【００１７】
また、本考案のケトルによれば、つまみを含めた蓋体全体がケトル本体内側に収容され、蓋体上面がケトル本体上面と略面一になるため、外観がシンプルとなりデザイン性に優れたケトルを提供することが可能となる。
【００１８】
また、本考案のケトルによれば、蓋の落下防止のための特別な部材を設ける必要がないため、構造が簡単であり、製造を容易にすることが可能となる。さらには、部材の露出がないため、外観を損なうことがなく、シンプルでデザイン性に優れたケトルを提供することが可能となる。
【００１９】
さらに、本考案のケトルによれば、把手を支持部の取付け軸を中心として左右へ９０°回動して横倒することにより、ケトル全体の上面が略平面となり、また、把手がケトル本体の上面との水平面から下方向側に形成されるため、ケトル全体の上面が略平面となり、本考案のケトルもしくは他の容器と重ねることができ、収納性に優れたケトルを提供することが可能となる。
【考案を実施するための最良の形態】
【００２０】
以下、本考案の一実施の形態を図面に基づいて説明する。なお、以下に説明する部材，配置等は本考案を限定するものでなく、本考案の趣旨の範囲内で種々改変することができるものである。
【００２１】
図１乃至図８は本考案の実施形態に係り、図１乃至図５は一実施形態を示すもので、図１はケトルの蓋を外した状態の斜視図、図２はケトルの蓋をした状態の斜視図、図３は蓋をした状態のケトルのＸ−Ｘ線による部分端面図、図４はケトルの縦断面図、図５は給湯時の作用を示す断面図である。図６及び図７は本考案の他の実施形態を示すもので、図６はケトルの把手の説明図、図７は図６の実施例に係るケトルの把手を倒した状態の斜視図である。図８は本考案のさらに他の実施例に係るケトルの斜視図である。
【００２２】
本実施形態のケトルは、図１に示すように、ケトル本体１０と、把手２０と、蓋体３０とを主要構成要素としている。ケトル本体１０は開口部１１と、給湯口１２とを備えている。
【００２３】
本例の開口部１１は、ケトル本体１０の上面中央に設けられた円形をした開口で給水するためのものであり、開口上端からケトル本体１０内部に向けて形成された壁部１１ａが形成されている。この壁部１１ａの高さは、後述する蓋体の蓋外周部３２の外周壁３２ａの高さと同じか或いは大きく形成されている。また、壁部１１ａの周端部には、後述する蓋体の蓋外周部３２を支持する蓋支持部１１ｂが内周側に張り出して形成されている。
【００２４】
給湯口１２は、ケトル本体１０からお湯を排出するためのものであり、本例では、ケトル本体１０の上部前側に突出して形成され、上面が開口している。この給湯口１２の上端部としての上面開口端はケトル本体１０の上面位置と略同じ位置に形成されている。
【００２５】
本例の把手２０は、ケトル本体１０を持つためのものであり、支持部２０ａと、把持部２０ｂとから構成されている。支持部２０ａは、一端側がケトル本体１０とリベット、ビス、ねじ等の接合部材で接合されており、他端（自由端）側には把持部２０ｂが取着されている。把持部２０ｂは、給水時や給湯時に手などでケトル本体１０を持ち上げるものであり、フェノール樹脂等の耐熱材質から形成されている。本例の把手２０は、給湯口１２と反対側の上部後側から開口部上方を跨ぐように取付けられている。
【００２６】
本例の蓋体３０は、つまみ３１と、蓋外周部３２から構成されており、ケトル本体１０の開口部１１に着脱自在となっている。
【００２７】
本例のつまみ３１は、フェノール樹脂等の熱硬化性樹脂によって形成された外形状浅皿様の部材からなるもので、つまみ央部３１ａと、つまみ凹部３１ｂとから形成されている。そして、つまみ凹部３１ｂは、つまみ央部３１ａを残して、円形に陥没させて形成されている。
【００２８】
本例のつまみ央部３１ａは、上記つまみ凹部３１ｂの直径線上に配置した矩形体から形成されており、本例のつまみ央部３１ａとつまみ凹部３１ｂとは、ビス、ねじ、接着剤等で接合されている。つまみ央部３１ａとつまみ凹部３１ｂを別体で形成しているため、つまみ央部３１ａは矩形体の側面をつまみ易い凹状に形成してもよく、また、本例の矩形体に限定されず、ボタン型、球体等様々の形状にすることができ、デザインの自由度を確保することができる。
【００２９】
なお、前記実施例ではつまみ央部３１ａとつまみ凹部３１ｂをビス、ねじ、接着剤等で接合しているが、熱硬化性樹脂等によって一体に成形してもよい。一体で形成した場合は、構造が簡単になり製造が容易となる。
【００３０】
本例の蓋外周部３２は、ある程度の重量を有しているステンレススチール、銅等の錆び難い材質、耐錆に優れた材質等から形成され、図３に示すように、外周壁３２ａと、中央凹部３２ｂが形成されている。本例の外周壁３２ａは、前記ケトル本体１０の開口部１１に合わせた外形をしてケトル本体１０の開口部１１に形成された壁部１１ａの高さと同じか或いは小さい高さとなっている。中央凹部３２ｂには前記つまみ３１が収納され、つまみ３１が蓋外周部３２の上面からはみ出さないような深さの凹部として形成されている。
【００３１】
そして、蓋外周部３２の中央凹部３２ｂにつまみ３１を接合するが、このとき、つまみ３１の蓋外周部３２と当接する側の外周に接着剤等の固着剤を塗布して接合している。
【００３２】
上記のようにして構成された蓋体３０は、ケトル本体１０の開口部１１の壁部１１ａと蓋支持部１１ｂによって、着脱自在に支持されている。
【００３３】
本例のケトルは上記のように構成されるので、蓋体３０をケトル本体１０の開口部１１に着設したときに蓋体３０の上面がケトル本体１０の上面と略面一又はケトル本体の内側に位置する。
【００３４】
したがって、図５に示すように、ケトル本体１０を傾けたときの傾き角度θがθ＝９０°になるまでの間、ケトル本体１０の内側に蓋体３０の重力が働き、蓋体３０がケトル本体１０から外れて落下しない。
【００３５】
よって、ケトル本体１０の内部に入ったお湯を注ぐ際、把手２０を持ってケトル本体１０を傾けても、９０°傾くまで把手２０を持つ手と反対の手で蓋体３０を落下しないように押える必要がなく、片手で給湯操作を行うことができる。
すなわち、ケトル本体１０、把手２０、蓋体３０等に蓋の落下防止のための特別な部材を取付けることなく、蓋の離脱による落下を防止することができる。
【００３６】
また、図２に示すように、蓋体３０の上面がケトル本体１０の上面と略面一になるので、従来の、蓋がケトル本体の上部に着設されるケトルと比較して、外観がシンプルでデザイン性に優れ、高級感を呈する。
【００３７】
なお、本実施形態では、把手２０の一端側をケトル本体１０に固定し、他端側を固定しない自由端として形成しているが、両端をケトル本体１０に固定する構成としてもよい。
【００３８】
図６乃至図７は本考案の他の実施形態に係るものである。なお、本実施形態において、同様部材、同様配置等には同じ符号を付してその説明を省略する。
【００３９】
図６に示すように、ケトル本体１０はその側面に固着部材２１０を備える。固着部材２１０は、把手２０をケトル本体１０に取付けるための部材であり、本例では、リベット、ビス、ねじ等の接合部材でケトル本体１０の上部後側に固着されている。把手２０の支持部２０ａは、固着部材２１０に対して取付け軸２１１を圧接するように配設し、摺接しながら回動可能に軸支させ、取付け軸２１１を中心に把手２０を回動させることができる。これにより、把手２０は、直ちに回動して、横倒することなく、所定位置で保持されるように構成されている。
【００４０】
図７は本実施例の把手２０を左に９０°倒した状態の説明図である。把手２０を垂直状態から９０°回動することにより、把手２０をケトル本体１０及び蓋体３０の上面より上位に突出しないように横倒することができるので、把手２０を含めたケトル全体の上面が略水平となり、本考案のケトルもしくは鍋等の他の容器を上に重ねることができる。
【００４１】
図８は本考案の他の実施形態に係るものである。なお、本実施形態においても、同様部材、同様配置等には同じ符号を付してその説明を省略する。
【００４２】
図８に示すように、ケトル本体１０の側面には把手２２０を備える。本例の把手２２０は、熱硬化性樹脂によって形成された部材からなるもので、リベット、ビス、ねじ等の接合部材でケトル本体１０の側面の上部後側に固着され、固着された点から横方向側と下方向側へ延びて形成されている。
【００４３】
本例の把手２２０は上記のように構成されるので、把手２２０がケトル本体１０の上面より下方に配置され、把手２２０を含めたケトル全体の上面が略水平となり、本考案のケトルもしくは鍋等の他の容器を上に重ねることができる。
【００４４】
なお、本例では把手２２０は１つの部材で形成されているが、他の実施形態と同様に支持部と把持部の２つの部材で形成される構成としてもよい。
【００４５】
さらに、本実施形態では、把手２２０の一端側をケトル本体１０の側面に固定し、他端側を固定しない自由端として形成しているが、両端をケトル本体１０の側面に固定する構成としてもよい。
【図面の簡単な説明】
【００４６】
【図１】本考案の一実施形態に係るケトルの蓋を外した状態の斜視図である。
【図２】ケトルの蓋をした状態の斜視図である。
【図３】蓋をした状態のケトルのＸ−Ｘ線による部分端面図である。
【図４】ケトルの縦断面図である。
【図５】給湯時の作用を示す断面図である。
【図６】本考案の他の実施形態に係るケトルの把手の説明図である。
【図７】図６の実施例に係るケトルの把手を倒した状態の斜視図である。
【図８】本考案のさらに他の実施例に係るケトルの斜視図である。
【符号の説明】
【００４７】
１０  ケトル本体
１１  開口部
１１ａ  壁部
１１ｂ  蓋支持部
１２  給湯口
２０  把手
２０ａ  支持部
２０ｂ  把持部
３０  蓋体
３１  つまみ
３１ａ  つまみ央部
３１ｂ  つまみ凹部
３２  蓋外周部
３２ａ  外周壁
３３ｂ  中央凹部
２１０  固着部材
２１１  取付け軸
２２０  把手
【図１】
0003116343.tif 000003
【図２】
0003116343.tif 000004
【図３】
0003116343.tif 000005
【図４】
0003116343.tif 000006
【図５】
0003116343.tif 000007
【図６】
0003116343.tif 000008
【図７】
0003116343.tif 000009
【図８】
0003116343.tif 000010